(57)【要約】【課題】適切な生育環境が得られるように植栽基盤の高さ管理が容易に行える人工浮島を提供する。【解決手段】中空パイプ１０ａを枠状に組んでフロート１０を構成する。フロート１０に、硬質ネット２０ａをかご状に形成した支持体２０を吊り下げるように取り付ける。支持体２０のかご内に、合繊マット３１、ヤシマット３２を二層構造にして設け、植栽基盤３０とする。ヤシマット３２にはポットを設け、ポット内の土壌に所望の植物の苗等を植え付ける。支持体２０の底面側にはフレーム２１ａを設け、植栽基盤３０に剛性を付与する。盤面高調節手段４０により、植物の生育状況に合わせて、植栽基盤面の高さ調節を行う。【選択図】　　図１
2004135533.tif 000002
【特許請求の範囲】
【請求項１】
植生を有し、水に浮かべられる人工浮島であって、
前記人工浮島を浮かせるフロートと、
前記フロートに囲まれ、植栽を行う植栽基盤と、
前記フロートに設けられ、前記植栽基盤を支持する支持体と、
前記植栽基盤に剛性を付与する剛性付与部材とを有することを特徴とする人工浮島。
【請求項２】
植生を有し、水に浮かべられる人工浮島であって、
前記人工浮島を浮かせるフロートと、
前記フロートに囲まれ、植栽を行う植栽基盤と、
前記フロートに設けられ、前記植栽基盤を支持する支持体と、
前記植栽基盤の設置高さを調節する盤面高調節手段とを有することを特徴とする人工浮島。
【請求項３】
請求項２記載の人工浮島において、
前記植栽基盤に剛性を付与する剛性付与部材を有することを特徴とする人工浮島。
【請求項４】
水に浮かべられる人工浮島における植生の管理方法であって、
植物を植栽する植栽基盤の基盤面を、前記植物の植栽状況に伴う重量変化にかかわらず、所定高さに維持することを特徴とする人工浮島における植生管理方法。
【請求項５】
請求項４記載の人工浮島における植生の管理方法において、
前記植栽基盤の基盤面を所定高さに維持するには、前記人工浮島に設けた重りを、前記植物の植栽状況に伴う重量変化に見合った分、増減することにより行うことを特徴とする人工浮島における植生管理方法。
【請求項６】
請求項４記載の人工浮島における植生の管理方法において、
前記植栽基盤の基盤面を所定高さに維持するには、前記人工浮島を構成するフロートに設けた植栽基盤の支持体を、前記植物の植栽状況の変化に伴う重量変化に見合った前記植栽基盤の水深変化分、前記フロートに対して上下動させることを特徴とする人工浮島における植生管理方法。
【発明の詳細な説明】
【０００１】
【発明の属する技術分野】
本発明は、植生を有する人工の浮島の技術に関する。
【０００２】
【従来の技術】
近年、水域環境における景観変更、景観演出等の修景、あるいは水質浄化、あるいはビオトープ設置等の目的で、人工的な浮体に植生を設けた所謂人工浮島が、公園やゴルフ場の池、貯水池、農業用ため池、ダム湖等に設けることが提案されている。
【０００３】
人工浮島の構成は、大きくは、浮き体と植物を生やす植栽基盤（植生基盤とも言う）とを分離する構造、あるいは浮体と植栽基盤とを一体にする構造とに分かれる。
【０００４】
浮体と植栽基盤とを分離する構造としては、植栽基盤周囲に中空パイプまたは水に浮く素材のフレームを設け、かかるフレームに硬質ネットを設置して、フレーム内の植栽基盤を支持する方法が提案されている（例えば、非特許文献１。）。
【０００５】
あるいは、発泡スチロールや中空コンクリート箱等の浮体上に土壌やヤシ繊維等の植栽基盤を設ける方法も提案されている（例えば、非特許文献２、３。）。
【０００６】
また、浮体と植栽基盤とを一体とする方法としては、ヤシ繊維等の軽量な植栽基盤内に発泡スチロール等の浮体を設置する方法が提案されている（例えば、非特許文献４、５。）。
【０００７】
【非特許文献１】
パンフレット「ベストマンアイランド」、日本ベストマンシステム研究会
【０００８】
【非特許文献２】
パンフレット「ビオフロート・グリーン」、積水化成工業（株）、平成１０年
【０００９】
【非特許文献３】
「霞ヶ浦緑の浮島実験について」、第６回世界湖沼会議霞ヶ浦’９５論文集、１９９５年、第１巻、ｐ．１３３−１３６
【００１０】
【非特許文献４】
パンフレット「バイオコズモ」、ゼニヤ海洋サービス（株）
【００１１】
【非特許文献５】
パンフレット「ビオシスアイランド」、トスコ（株）、２０００年４月
【００１２】
【発明が解決しようとする課題】
上記の如く、従来の人工浮島の構造は、大きくは２つに分けられるが、その各々については、以下のような問題点があることを本発明者は見出した。
【００１３】
すなわち、非特許文献１に記載のような構成においては、硬質ネットで植栽基盤を支持する構成であるため、植栽基盤の表面の高さを一定高さに維持するのが困難である。植物の生育に伴う重量増加により、基盤面が次第に下がってしまう。
【００１４】
そのため、十分に生育した植物が、必要以上に水没して、植物の寿命が短くなる場合もあり、植物の生育管理の点で問題となる。
【００１５】
また、かかる構成では、冬季等の植物が繁茂しない時期には、逆に植栽基盤が軽くなり、人工的な植栽基盤が水面から露出するため、景観を損ねるとの問題点が指摘されている。
【００１６】
さらに、植栽基盤が露出すると、陸上に生える雑草が植栽基盤に繁茂し易くなり、水性植物等の特定種の植生を意図したものとは異なる植生が発生し、雑草等の除去等に関わる人工浮島の維持管理が面倒となる。
【００１７】
また、非特許文献２に開示されるような構成においては、浮体上に植栽基盤があるため、植栽基盤が水面に触れず、水性植物の生育が行えない。水環境においては、やはり、景観的にも水性植物が違和感なくマッチしており、水生植物の植栽が行える技術が是非とも必要である。
【００１８】
また、かかる構成では、植生する植物が水面下に根を張らないため、水質浄化や魚類、水性昆虫等の棲み家にもなり難い。さらには、前記非特許文献１でも指摘したように、陸上に生える雑草が繁茂し易くなり、面倒な維持管理が必要となる。
【００１９】
一方、非特許文献３に開示の構成では、フレームがないため、アンカーの引張や、波を直接的に植栽基盤に受け、植栽基盤の耐久性が低下する。そのため、かかる構成では、外周に耐候性のポリプロピレン等の材質のネットで覆う構成を設ける等、植栽基盤の強度を高める必要があり、製作に手間がかかるとともに費用も高くなる。
【００２０】
また、植栽基盤も水面から露出するため、前述の如く、景観を損ねると共に、陸上に生える雑草が繁茂し易くなり、その雑草等の除去に関わる面倒な維持管理が必要となる。
【００２１】
本発明は、適切な水性植物の生育が行えるように植栽基盤の高さ管理が容易に行える人工浮島を提供することにある。
【００２２】
【課題を解決するための手段】
すなわち、本発明は、植生を有し、水に浮かべられる人工浮島であって、前記人工浮島を浮かせるフロートと、前記フロートに囲まれ、植栽を行う植栽基盤と、前記フロートに設けられ、前記植栽基盤を支持する支持体と、前記植栽基盤に剛性を付与する剛性付与部材とを有することを特徴とする。
【００２３】
本発明は、植生を有し、水に浮かべられる人工浮島であって、前記人工浮島を浮かせるフロートと、前記フロートに囲まれ、植栽を行う植栽基盤と、前記フロートに設けられ、前記植栽基盤を支持する支持体と、前記植栽基盤の設置高さを調節する盤面高調節手段とを有することを特徴とする。かかる構成において、前記植栽基盤に剛性を付与する剛性付与部材を有することを特徴とする。
【００２４】
本発明は、水に浮かべられる人工浮島における植生の管理方法であって、植物を植栽する植栽基盤の基盤面を、前記植物の植栽状況に伴う重量変化にかかわらず、所定高さに維持することを特徴とする。
【００２５】
上記構成において、前記植栽基盤の基盤面を所定高さに維持するには、前記人工浮島に設けた重りを、前記植物の植栽状況に伴う重量変化に見合った分、増減することにより行うことを特徴とする。
【００２６】
あるいは、前記植栽基盤の基盤面を所定高さに維持するには、前記人工浮島を構成するフロートに設けた植栽基盤の支持体を、前記植物の植栽状況の変化に伴う重量変化に見合った前記植栽基盤の水深変化分、前記フロートに対して上下動させるようにしてもよい。
【００２７】
人工浮島は、フロートにより一定の浮力を受けて水面に浮かべられているが、人工的に植栽基盤に植物を植えて生育させる構成の植生浮島では、植物の生育に伴う植生状況により、すなわち、苗が植わっている植生状況、茎や葉が生長した段階の植物が植わっている植生状況、十分に生長して花を咲かせた植物が植わっている植生状況、種や実を付けた植物が植わっている植生状況、植わっている植物が枯れた植生状況等々、種々の植生状況で大きな重量変化が認められる場合がある。
【００２８】
かかる重量変化は、人工浮島一面に植物を植生させた構成では、人工浮島の浮力に及ぼす影響は大きく、重量増加に従って植栽基盤側の水中深度が深くなる。
【００２９】
しかし、植栽基盤の水深は、植物の生育、寿命に大きく影響を及ぼし、ある程度の範囲で適切な基盤水位が設定されなければならない。本発明の上記構成を採用することで、植栽状況の変化に応じた重量変化に合わせて、基盤の水深を一定に維持することができ、植栽された植物の生育環境を最適に維持して、植物の良好な生育等の確保が行える。
【００３０】
例えば、基盤面の水位を所定高さに維持するには、簡単には、人工浮島に設けた重りを、前記植物の生育に伴う重量増加に見合った分、減らすことにより行うことができる。あるいは、人工浮島を構成するフロートに設けた植栽基盤の支持体を、植物の生育に伴う重量増加に見合った植栽基盤の沈下分、フロートに対して引き揚げるようにすることも考えられる。
【００３１】
また、人工浮島の管理においては、ボート等で近づいて、必要な作業をボートで行う方法も従来から行われているが、十分な作業を行うことができない。やはり、人が人工浮島に上陸した状態で作業が行えることが望ましい。しかし、人が上陸できる構成としては、かなりの大規模構成が求められ、簡単な人工浮島では採用し難い構成になりがちである。
【００３２】
そこで、上記構成に示すように、植栽基盤に剛性を付与する剛性付与部材を設けることにより、人工浮島に人が載る等した場合でも、足下が沈み込む等の変形が発生しないようにすることができる。例えば、植栽基盤を支持する支持体の底面側に剛性の強いステンレス製のアングル材等でフレームを設けることでかかる点の解消を簡単に図ることができる。
【００３３】
【発明の実施の形態】
以下、本発明の実施の形態を図面に基づいて詳細に説明する。
【００３４】
（実施の形態１）
本実施の形態では、本発明の人工浮島について説明する。図１は、本発明の人工浮島の構成を示す断面図である。図２（Ａ）は、フロートに支持体を設けた様子を示す斜視図であり、（Ｂ）はフロートとフレームとの位置関係を示した説明図である。図３（Ａ）は、植栽基盤にポットを設けた構成を示す人工浮島の断面図であり、（Ｂ）はその様子を示す平面図である。
【００３５】
図１に示すように、本実施の形態の人工浮島Ａは、人工浮島Ａを水に浮かばせる役割を有するフロート１０と、フロート１０に設けた支持体２０と、支持体２０に支持される水性植物等の植物の育成基盤となる植栽基盤３０と、植栽基盤３０の盤面高調節手段４０とから構成されている。
【００３６】
フロート１０として、図１に示す場合には、中空パイプ１０ａが用いられている。中空パイプ１０ａは、例えば、４隅にエルボを介して、中空内に水が侵入しないようにして四角の枠状に組み上げられている。かかる中空パイプ１０ａの管径、材質等は、上記構成の人工浮島Ａを水に浮かべておける浮力が獲得できる範囲で適宜選択すればよい。
【００３７】
発泡スチロールは、長期間水に浸かっていると、ビーズの隙間に水が浸透してきて、浮力が低下するが、本発明で採用した中空パイプ１０ａを使用すればかかる心配がない。中空パイプ１０ａ内に発泡スチロールを入れる構成も考えられる。
【００３８】
中空パイプ１０ａとしては、例えば、塩化ビニル製のパイプ（ＶＰ１００等）を使用することができる。
【００３９】
尚、フロート１０としては、人工浮島Ａの浮力が確保できるものであれば、中空パイプ１０ａ以外の構成を採用しても一向に構わない。中空パイプ１０ａを使用したのは、加工、組立が容易で入手し易い市販品の活用が行え、特殊な技術を用いることなく比較的容易に枠状のフロート１０の作成ができるという観点から選択したものである。
【００４０】
このように枠状に形成された中空パイプ１０ａからなるフロート１０には、図２（Ａ）に示すように、硬質ネット２０ａで形成されたかご状の支持体２０が設けられている。例えば、硬質ネット２０ａで四角のかごに形成して、かごの開口側端側の縁を、枠状に形成したフロート１０の周囲に巻き付ける等して取り付けられている。
【００４１】
硬質ネット２０ａとしては、例えば、硬質ポリエチレンネット等を使用することができる。
【００４２】
硬質ネット２０ａには、さらにその剛性を確保する目的で、図１、２（Ｂ）に示すように、ステンレス等の錆びが発生しない金属製のアングル材を用いて、かご状の支持体２０の底面形状に合わせた枠形に形成されたフレーム２１ａが設けられている。フレーム２１ａは、人工浮島Ａ上に人が載っても、支持体２０に支持された植栽基盤３０が沈み込む等の変形が発生しないように剛性を付与する剛性付与部材２１として機能することとなる。
【００４３】
フレーム２１ａは、簡単には図２（Ｂ）に示すように、アングル材を枠状に組み合わせて構成すればよいが、アングル材を平面格子状に交差させてより剛性を高くするようにしても一向に構わない。フレーム２１ａは、硬質ネット２０ａで形成された支持体２０の底面下、あるいは、底面上のいずれかの位置に設けておけばよい。
【００４４】
図２（Ｂ）では、分かりやすいように硬質ネット２０ａからなる支持体２０を省いて、フロート１０と、フレーム２１ａの位置関係のみを示した。
【００４５】
図２（Ａ）に示すように、上縁側がフロート１０に巻き付ける等して取り付けられた硬質ネット２０ａからなるかご状の支持体２０内に、図１に示すように、植栽基盤３０が収容されている。
【００４６】
植栽基盤３０としては、図１に示すように、積層構造が採用されている。すなわち、図１に示す場合には、下方に合繊マット３１を敷き、合繊マット３１の上にヤシマット３２を敷いた二重積層構造に構成されている。
【００４７】
人工浮島Ａは、一般的には、長期間、水に浮かばせることが想定されるが、長期間ヤシマット３２が水に触れている場合には、ヤシ繊維の絡まりがほどけたり、あるいは一部が分解したりする場合も懸念されるため、合繊マット３１を下に設けておくことにより、かかる場合が発生しても植栽基盤３０が崩壊しないように維持することができる。
【００４８】
上記ヤシマット３２の代わりに、例えば、ヤシ以外の植物繊維製マットやスポンジのようなものを使用することもできる。合繊マット３１の代わりに、例えば、軽量多孔質コンクリートのような耐久性のある多孔質材料を使用することもできる。
【００４９】
また、図１に示す構成では、積層構造を採用した場合を示しているが、例えば、ヤシマット３２のみをの単層構造を採用しても構わない。長期使用で、ヤシマット３２がほつれる等した場合には、適宜交換すればよい。
【００５０】
ヤシマット３２には、図３（Ａ）、（Ｂ）に示すように、植え込み用の穴としてポット３３を設けるようにしても構わない。ポット３３内には、土壌３４が入れられている。かかる土壌３４内に植物の苗を植栽したり、あるいは種を蒔けばよい。土壌３４としては、例えば、通常の園芸用土等を使用することができる。
【００５１】
ポット３３としては、不織布、あるいはヤシマット等をカップのような形にしておき、ヤシマット３２上に、所定間隔で設けた穴にかかる構成のポット３３を嵌め込むようにして形成すればよい。
【００５２】
かかる構成のポット３３内には、土壌３４が入れられているが、植栽基盤３０を構成するヤシマット３２は、下方が合繊マット３１で支持され、植栽基盤３０の全体が上記の如くフレーム２１ａで剛性が付与され、且つ、植栽基盤３０の周囲が枠状に形成されたフロートで囲われているため、波や風等があたっても大きく揺れたり、変形したりすることがなく、土壌３４がポット３３内から水中に流れ出る心配はない。
【００５３】
また、人工浮島Ａには、図１に示すように、盤面高調節手段４０が設けられている。盤面高調節手段４０としては、例えば、かご状に形成した容器４１内に重り４２を入れて、容器４１を支持体２０に着脱自在に取付けできるように構成しておけばよい。重り４２としては、例えば、砕石や礫等を利用することができる。
【００５４】
実質的に同重量とみなせる程度に重量統一した複数の容器４１を、人工浮島Ａの４隅に取り付けたり、あるいは外したりして、植栽基盤３０の基盤面の高さを調節することができる。あるいは、規定重量を１単位として構成した重り４２を用いて、容器４１内に必要数入れたり、容器４１内から必要数出したりして、重量調節しても構わない。
【００５５】
上記構成の人工浮島Ａで植栽する植物は、生育条件と使用目的により選定を行えばよい。生育条件としては、例えば、気温、日当たり、水分、水質等に考慮すればよい。植物としては、例えば、以下の表１に示すような植物が適している。
【００５６】
【表１】
2004135533.tif 000003
【００５７】
また、前述の説明では、フレーム２１ａを支持体２０の面側に平面状に、さらには、上記構成に比べて重量は重くなるが、フロート１０により十分な浮力が獲得できる範囲内で、図４に示すように、アングル材を用いて立体枠状のフレーム２１ａを構成しておき、かかるフレーム２１ａ内に硬質ネット２０ａでかご状に形成した支持体２０を入れるようにしても構わない。この場合は、フレーム２１の上縁側を、フロート１０に取り付けるようにしておけばよい。
【００５８】
かかる構成で、支持体２０をフレーム２１ａの鉛直部を多段スライド式に構成しておき、鉛直部が水面上に突出しないように上下動させることにより、支持体２０に収容した植栽基盤３０の基盤面の高さ調整を行うようにしても構わない。
【００５９】
（実施の形態２）
上記実施の形態１で説明した本発明の人工浮島Ａで、水生植物を植生させる場合について説明する。
【００６０】
前記説明のように植栽基盤３０の基盤面の水深位置を調節できる上記実施の形態１の人工浮島Ａにおいては、植物体の一部が少なくとも水中に入る水生植物の生育に適している。植物としては、前掲の表１に記載の抽水植物、浮葉植物、沈水植物等の水生植物から適宜選択すればよい。
【００６１】
本実施の形態で使用する人工浮島Ａは、図５に示すように、前記図３に示す場合とほぼ同様に構成されている。枠状に中空パイプ１０ａを設けてフロート１０を構成する。フロート１０の水面上に露出する部分には、紫外線遮蔽部材５０が設けられている。紫外線遮蔽部材５０としては、例えば、層厚の薄いヤシマット５０ａを使用すればよい。
【００６２】
紫外線遮蔽部材５０には、合繊シート等の人工物を用いることも考えられるが、しかし、かかる部分は水面上に露出されるため、敢えて天然素材であるヤシマット５０ａを用いて、周囲景観との違和感が発生しないように考慮した。
【００６３】
また、ヤシマット５０ａを用いることにより、昆虫等の棲息し易い環境を提供することもできる。
【００６４】
フロート１０には、硬質ネット２０ａをかご状に形成した支持体２０が、その上縁側をフロート１０の中空パイプ１０ａに巻き付けて取り付けられている。かかる支持体２０には、下段に合繊マット３１、上段にヤシマット３２を設けた植栽基盤３０が設けられている。ヤシマット３２には、ポット３３が設けられ、ポット３３内にいれた土壌３４に水生植物３５が植栽されている。
【００６５】
また、盤面高調節手段４０の容器４１内には、重り４２が入れられ、この状態で容器４１が人工浮島Ａの４隅に着脱自在に吊り下げられている。盤面高調節手段４０の重さにより、人工浮島Ａの植栽基盤３０の基盤面は、所定深度の水面下に水平になるように沈められている。
【００６６】
かかる構成の人工浮島Ａに水生植物３５を植栽するには、例えば、人工浮島Ａから盤面高調節手段４０を取り外した状態で、植栽基盤３０の盤面を水上に出した状態で、基盤面３０上にひとが上陸して、水生植物３５の苗を、予めヤシマット３２上に用意しておいたポット３３内の土壌３４に植え付ければよい。
【００６７】
植付け後、苗の頭が水面上に露出できる程度まで植栽基盤３０の盤面高を、人工浮島Ａに盤面高調節手段４０を取付けて調節しながら水面下に沈める。その後、水生植物３５の生育に伴い重量が増加して基盤面の深度が深くなってきたら、漸次盤面高調節手段４０の重りを除いて、所定深度に盤面高が調節できるようにして人工浮島Ａを浮かばせておけばよい。
【００６８】
水性植物は、人工浮島Ａの設置目的から、適当な植物を選定して使用すればよい。例えば、人工浮島Ａに設けた植物の観賞を目的とする場合には、花の咲く植物の選定が一般的には好ましい。
【００６９】
また、人工浮島Ａに生育させた植物により、水質浄化を図ろうとする目的の場合には、ヨシ等を植栽し、植物の生長とともに水中の窒素、リン等を吸収させるようにすればよい。かかるヨシの場合には、定期的に刈り取りを行う必要がある。図５に示す人工浮島Ａでは、フレーム２１ａが設けられているため、植栽基盤３０の剛性が確保され、刈り取り等のように人が載って安全に作業を行うことができる。
【００７０】
また、植栽基盤３０の盤面水深を浅く設定して浮かせる場合には、水面上に硬質ネット２０ａが露出することとなる。かかる硬質ネット２０ａ表面の紫外線遮蔽部材５０として薄いヤシマット５０ａで覆えば、水の透過も自在に行え、透過性のない遮蔽シートとは異なり、有効に使用することができる。
【００７１】
紫外線遮蔽部材５０としては、勿論、かかるヤシマット５０ａ以外の構成でも構わない。例えば、構成部材のフロート１０、硬質ネット２０ａの表面に塗布して薄い被膜を形成させるようにしても一向に構わない。
【００７２】
また、自然環境の復元を目的とする場合には、目標とする植生と調和させた植物の選定を行えばよい。
【００７３】
尚、植栽基盤３０に植栽した植物は、上記目的以外にも、昆虫等の生物の生育空間、餌の提供等の役割を担っているので、かかる点も考慮して選定すればよい。すなわち、人工浮島Ａを浮かべようとする水環境における水生昆虫や、魚等の生育状況にプラスとなる方向性を有するものを選定するのが好ましい。
【００７４】
このようにして、人工浮島Ａの設置環境、設置目的に応じて選定した植物の苗を、植栽基盤３０のポット３３内に植えて生育する。苗が生長し、大きく生育するに従って、重量も増加するため人工浮島Ａの植栽基盤３０の基盤面の水深はそれにつれて深くなる。
【００７５】
しかし、本発明の上記構成では、盤面高調節手段４０が設けられているため、例えば、上記の如く、盤面高調節手段４０を構成する容器４１内から重りを取り除くことにより、基盤面の水深を一定に維持することができる。
【００７６】
かかる植栽基盤３０の盤面高を調節する手段を有していない構成では、植物の生育と共に植栽基盤３０の基盤面の水深が漸次深くなり、場合によっては、植物の生育が大きく阻害されることとなり、適切な生育環境を確保することができず、人工浮島Ａの設置目的が十分に達成できない虞れが発生する。
【００７７】
（実施の形態３）
本実施の形態では、前記実施の形態１で説明した本発明の人工浮島Ａを、陸生植物、抽水植物に適用する場合について説明する。
【００７８】
本実施の形態の人工浮島Ａは、図６に示すように、植栽基盤３０のヤシマット３２が水面より上に位置するように構成されている。
【００７９】
すなわち、硬質ネット２０ａでかご状に形成された支持体２０内に、前記実施の形態で説明したと同様に、合繊マット３１、ヤシマット３２を入れ、支持体２０の下面をフレーム２１で人が人工浮島Ａに載って作業しても植栽基盤３０が変形しないように構成されている。
【００８０】
このように内部に合繊マット３１、ヤシマット３２を入れた硬質ネット２０ａからなる支持体２０の下方側周囲に、図６に示すように、フロート１０が設けられている。フロート１０を下方に設けることにより、合繊マット３１の上方側を水面上に出した状態に維持して、植栽基盤３０のヤシマット３２部分を完全に水面より上に位置させることができる。
【００８１】
かかる構成を採用すれば、直接植物を植え込むヤシマット３２が水に浸かることはなく、陸生植物あるいは抽水植物等の植栽植物３６の生育環境が確保されることとなる。尚、植栽植物３６として、例えば、抽水植物を選定する場合には、前掲の表１から選択してもよい。
【００８２】
かかる植栽植物３６は、前記実施の形態１と同様に、ヤシマット３２に設けたポット３３内の土壌３４に苗、あるいは種を蒔く等して生育させればよい。
【００８３】
尚、本実施の形態では、図５に示すように、植栽基盤３０の基盤面を水面下に維持する必要がないため、盤面高調節手段４０は設けられてない。
【００８４】
（実施の形態４）
本実施の形態では、水生植物と陸生植物とを共存させる人工浮島Ａの構成について説明する。前記実施の形態２、３で用いた人工浮島Ａは、前記実施の形態１で説明した人工浮島Ａにおける植栽基盤３０の基盤面を一様に水面上に位置させるか、あるいは一様に水面下に位置させるかの構成であった。
【００８５】
本実施の形態では、水生植物と陸生植物とを共存させる構成であるため、陸生植物の植栽域では植栽基盤３０面が水上に、水生植物の植栽域では植栽基盤３０面が水面下に位置するように設定する必要がある。
【００８６】
そこで、本実施の形態では、図７に示すように、上方水平フレーム部２１ｂ、傾斜フレーム部２１ｃ、水中水平フレーム部２１ｄからなる台形に組み上げたフレーム２１ａ上に、硬質ネット２０ａで支持された植栽基盤３０が設けられている。
【００８７】
フロート１０は、図７に示すように、フレーム２１ａの上方水平フレーム部２１ｂ側に設けられ、人工浮島Ａを浮かべた状態で、上方水平フレーム部２１ｂより下が水中に入るようになっている。傾斜フレーム部２１ｃは、上方水平フレーム部２１ｂから連続して水中に向けて斜め下方に向かうように形成されている。さらに、傾斜フレーム部２１ｃより先が水中水平フレーム部２１ｄに構成されている。
【００８８】
かかるフレーム２１ａの上方水平フレーム部２１ｂ、傾斜フレーム部２１ｃ、水中水平フレーム部２１ｄに合わせて、硬質ネット２０ａを底面側がほぼ段差状のかご状に形成した支持体２０が設けられ、その状態で、支持体２０内に植栽基盤３０が設けられている。
【００８９】
植栽基盤３０は、図７に示すように、フレーム２１ａの上方水平フレーム部２１ｂに対応して、植栽基盤水面上方部３０ａ（３０）が、前記実施の形態３で説明したと同様に水面上に位置している。かかる部分を、図中、区域ａとして示した。
【００９０】
区域ａに続いて、フレーム２１ａの傾斜フレーム部２１ｃに対応して、植栽基盤傾斜部３０ｂ（３０）が、傾斜上端側は水面上に位置し、傾斜下端側は水中に位置するように斜めに設けられている。すなわち、水面上から水中へ向けて遷移状態に形成されている。かかる部分を、図中、区域ｂとして示した。
【００９１】
区域ｂに続いて、植栽基盤水中部３０ｃが、前記実施の形態２で説明したと同様の水深位置で、横方向に延設されている。かかる部分を、図中、区域ｃで示した。
【００９２】
尚、植栽基盤３０は、説明上、植栽基盤水面上方部３０ａ、植栽基盤傾斜部３０ｂ、植栽基盤水中部３０ｃとして区分しているが、実際には、合繊マット３１、ヤシマット３２を硬質ネット２０ａの段差底面に合わせて設けることにより、一体に形成しておけばよい。勿論、植栽基盤３０を適宜分割しておき、これを隣接設置するようにして全体形成を行うようにしてもよい。
【００９３】
区域ａに対応する植栽基盤水面上方部３０ａには、ヤシマット３１に設けたポット３３内の土壌３４に陸生植物３７が生育させられている。
【００９４】
区域ｂに対応する植栽基盤傾斜部３０ｂでは、ヤシマット３１のポット３３内には、抽水植物３８が生育させられている。
【００９５】
区域ｃに対応する植栽基盤水中部３０ｃでは、ヤシマット３１のポット３３内には、水生植物３５が生育させられている。
【００９６】
このようにして、本実施の形態の人工浮島Ａの構成では、これまでの浮島の構成とは異なり、陸生植物から水生植物までを、植栽基盤３０を水面上から水中に向けて斜めに設けることにより、共存させることができる。
【００９７】
本発明は、上記実施の形態に限定されるものではなく、その要旨を逸脱しない範囲で必要に応じて変更してもよい。
【００９８】
【発明の効果】
本発明の人工浮島では、植栽基盤とフロートとを分離した構造を採用して、植栽基盤の周囲をフロートで囲み、また植栽基盤を支持する支持体を剛性付与部材で剛性を付与するようにしているため、植栽基盤を波等から保護することができ、かかる構成を採用しない場合に比べて、人工浮島の強度、耐久性を高くすることができる。
【００９９】
本発明の人工浮島の構成では、中空パイプフレームを採用しているため、発泡スチロール等の発泡材を使用する場合とは異なり、長期間使用に際しても浮力が低下する心配がない。
【０１００】
本発明では、植栽種に応じて植栽基盤表面の地盤高を調整できるため、植栽種に応じた適切な生育環境の設定が行える。
【図面の簡単な説明】
【図１】本発明の一実施の形態の人工浮島の一例を示す断面図である。
【図２】（Ａ）はフロートに支持体を設けた様子を示す斜視図であり、（Ｂ）はフロートとフレームとの位置関係を示した説明図である。
【図３】（Ａ）は、植栽基盤にポットを設けた構成を示す人工浮島の断面図であり、（Ｂ）はその様子を示す平面図である。
【図４】フレームの変形例を示す説明図である。
【図５】本発明の人工浮島に水生植物を植栽した状況を示す断面図である。
【図６】本発明の人工浮島に陸生植物、抽水植物等の植栽植物を植栽した状況を示す断面図である。
【図７】本発明の人工浮島に陸生植物、抽水植物、水生植物を共生させた植栽状況を示す断面図である。
【符号の説明】
１０　　　フロート
１０ａ　　中空パイプ
２０　　　支持体
２０ａ　　硬質ネット
２１　　　剛性付与部材
２１ａ　　フレーム
２１ｂ　　上方水平フレーム部
２１ｃ　　傾斜フレーム部
２１ｄ　　水中水平フレーム部
３０　　　植栽基盤
３０ａ　　植採基盤水面上方部
３０ｂ　　植採基盤傾斜部
３０ｃ　　植採基盤水中部
３１　　　合繊マット
３２　　　ヤシマット
３３　　　ポット
３４　　　土壌
３５　　　水生植物
３６　　　植採植物
３７　　　陸生植物
３８　　　抽水植物
４０　　　盤面高調節手段
４１　　　容器
４２　　　重り
５０　　　紫外線遮蔽部材
５０ａ　　ヤシマット
Ａ　　　　人工浮島
ａ　　　　区域
ｂ　　　　区域
ｃ　　　　区域
【図１】
2004135533.tif 000004
【図２】
2004135533.tif 000005
【図３】
2004135533.tif 000006
【図４】
2004135533.tif 000007
【図５】
2004135533.tif 000008
【図６】
2004135533.tif 000009
【図７】
2004135533.tif 000010